(57)【要約】【課題】デルタ配列方式において異なる配列のカラーフィルタを使用する場合でも入力信号を共通で使用することができる液晶モジュールを提供する。【解決手段】ＲＧＢ信号からなる画像データを基に液晶パネル１２ａにおける主走査方向である水平方向に並ぶ一列分の各画素に対する駆動電圧を生成し信号ラインＳｍ２５に駆動電圧を印加するソース回路２０を、ソース回路２０への供給電圧の設定を変更することによりカラーフィルタ３０の配列に合わせてその駆動電圧を入れ替えることが可能に構成してガラス基板３１に電気的に接続しつつ一体的に固定すると共に、そのガラス基板３１上に形成する配線を変更することでソース回路２０への供給電圧の設定を変更する。【選択図】図４
2008292654.tif 000002
【特許請求の範囲】
【請求項１】
デルタ配列方式にてＲＧＢの各色が配列されたカラーフィルタを有し、水平方向に複数配列されそれぞれ垂直方向に伸びる信号ラインと垂直方向に複数配列されそれぞれ水平方向に伸びる走査ラインとがガラス基板上に配置され、該信号ラインと該走査ラインとの交差点に対応して液晶物質が充填された画素がマトリックス状に設けられている液晶パネルと、
ＲＧＢ信号からなる画像データを基に上記液晶パネルにおける主走査方向である水平方向に並ぶ一列分の各画素に対する駆動電圧を生成し上記信号ラインに該駆動電圧を印加するソース回路と、
上記液晶パネルにおける副走査方向である垂直方向に沿って、順次、上記各走査ラインを上記駆動電圧の供給対象とさせるゲート回路とを備え、ＲＧＢ信号からなる画像データに基づいて画像を表示する液晶モジュールにおいて、
上記ソース回路は、
供給電圧の設定を変更することにより上記カラーフィルタの配列に合わせて上記信号ラインに印可する上記駆動電圧を入れ替えることが可能であると共に、上記ガラス基板に電気的に接続されつつ一体的に固定されるものであり、
上記ガラス基板上に形成する配線を変更することで上記供給電圧の設定を変更することを特徴とする液晶モジュール。
【請求項２】
上記ソース回路は、配線用端子を有する基板上に構成されたものであり、
上記配線用端子は、
ハイおよびローのうち互いに異なる電圧を出力する２つの信号端子と、
上記駆動電圧の入替えを設定する為の２つの設定端子とを少なくとも備え、
上記信号端子と上記設定端子との接続の組合せを上記ガラス基板上に形成する配線によって変更することで上記供給電圧の設定を変更することを特徴とする請求項１に記載の液晶モジュール。
【請求項３】
上記ソース回路が構成された基板は、上記配線用端子が上記配線が形成されたガラス基板上にボンディングされることを特徴とする請求項２に記載の液晶モジュール。
【請求項４】
上記デルタ配列方式における上記カラーフィルタのＲＧＢ配列は、６パターンあり、
上記設定端子を少なくとも３つ備えることで上記６パターンに対応することができることを特徴とする請求項２または３に記載の液晶モジュール。
【請求項５】
上記ソース回路は、上記配線用端子を有するドライバＩＣであり、
上記２つの信号端子は、直流３．３ボルトを出力する端子と接地される端子とであり、
上記ドライバＩＣは、上記配線用端子が上記ガラス基板上にボンディングされて一体的に固定されることを特徴とする請求項３または４に記載の液晶モジュール。 
【発明の詳細な説明】
【技術分野】
【０００１】
本発明は、液晶モジュールに係り、特に、デルタ配列方式にてＲＧＢの各色が配列されたカラーフィルタを用いる場合に関する。
【背景技術】
【０００２】
水平方向に複数配列されそれぞれ垂直方向に伸びる信号ラインと垂直方向に複数配列されそれぞれ水平方向に伸びる走査ラインとがガラス基板上に配置され、信号ラインと走査ラインとの交差点に対応して液晶物質が充填された画素がマトリックス状に設けられている液晶パネルがよく知られている。このような液晶パネルは、各画素に対応して画素電極および薄膜トランジスタ等のスイッチング素子がそれぞれ設けられており、このスイッチング素子を１走査ラインごとに順次オン/オフ駆動することによって画素電極に信号電圧を選択的に供給して液晶に信号電圧を印可するパネル駆動回路を備えることで、その電圧レベルに応じてＲＧＢの各色が配列されたカラーフィルタがかけられた各画素の透過率を変化させ、ＲＧＢ信号からなる画像データに基づいて多階調の画像表示が可能となる液晶モジュールを構成する。そして、このような液晶モジュールにおいて、カラーフィルタ配列に対応する方法が種々提案されている。
【０００３】
例えば、特許文献１には、デルタ配列方式とストライプ配列方式とでカラーフィルタの配列方式が異なる場合であっても、画素配列設定値に基づいてセレクタにより色データを順次選択出力することにより表示に供する画像データの処理回路を共有化することができる画像表示装置が開示されている。
【０００４】
また、特許文献２には、色選択回路で選択回路からの出力電圧を液晶セルのカラーフィルタの色配列に応じて分割して出力することにより簡単な操作でホワイトバランスの調整を行うことができる液晶表示装置の駆動回路が開示されている。
【特許文献１】特開２００６−４７６０３号公報
【特許文献２】特開平４−６０５８３号公報
【発明の開示】
【発明が解決しようとする課題】
【０００５】
ところで、カラーフィルタにおけるＲＧＢの配列は、上述したデルタ配列方式とストライプ配列方式とのように配列方式が異なる場合の他に、液晶セルにより同じデルタ配列方式の中でＲＧＢの配列が異なる場合がある。図６は、デルタ配列方式においてＲＧＢの配列が異なる６つのパターンを示す図である。図６において、（Ａ）は奇数ラインの画素を１／２画素ピッチだけ右にシフトさせて配置した場合であり、（Ｂ）は奇数ラインの画素を１／２画素ピッチだけ左にシフトさせて配置した場合である。また、（１）は奇数ラインの画素をＲＧＢの順に配置した場合であり、（２）は奇数ラインの画素をＧＢＲの順に配置した場合であり、（３）は奇数ラインの画素をＢＲＧの順に配置した場合である。尚、偶数ラインは奇数ラインの配置に基づいて図示の如く配置される。
【０００６】
異なる配列のカラーフィルタを使用すれば、そのカラーフィルタに合わせてパネル駆動回路へ入力するＲＧＢ信号からなる画像データをその都度変更する必要がある。反対に、カラーフィルタを変更して同じ画像データを入力することも考えられるが、カラーフィルタの変更には期間を要すこと、またこのような異なる配列のカラーフィルタは液晶パネルのコストダウン等を考慮して使用される場合があること等を考えると、カラーフィルタを変更することは望ましいものではない。
【０００７】
このようにデルタ配列方式の中でも液晶セルによりカラーフィルタの配列が異なるが、異なる配列のカラーフィルタでもパネル駆動回路へ入力するＲＧＢ信号からなる画像データを変更することなくそのまま使用可能にすることについては未だ提案されていない。
【０００８】
本発明は上記課題に鑑みて為されたもので、その目的とするところは、液晶パネルにおいてデルタ配列方式の中で異なる配列のカラーフィルタを使用する場合でも入力信号を共通で使用することができる液晶モジュールを提供することにある。
【課題を解決するための手段】
【０００９】
上記目的を達成するための請求項１に記載の発明は、デルタ配列方式にてＲＧＢの各色が配列されたカラーフィルタを有し、水平方向に複数配列されそれぞれ垂直方向に伸びる信号ラインと垂直方向に複数配列されそれぞれ水平方向に伸びる走査ラインとがガラス基板上に配置され、その信号ラインとその走査ラインとの交差点に対応して液晶物質が充填された画素がマトリックス状に設けられている液晶パネルと、ＲＧＢ信号からなる画像データを基に上記液晶パネルにおける主走査方向である水平方向に並ぶ一列分の各画素に対する駆動電圧を生成し上記信号ラインにその駆動電圧を印加するソース回路と、上記液晶パネルにおける副走査方向である垂直方向に沿って、順次、上記各走査ラインを上記駆動電圧の供給対象とさせるゲート回路とを備え、ＲＧＢ信号からなる画像データに基づいて画像を表示する液晶モジュールにおいて、上記ソース回路は、供給電圧の設定を変更することにより上記カラーフィルタの配列に合わせて上記信号ラインに印可する上記駆動電圧を入れ替えることが可能であると共に、上記ガラス基板に電気的に接続されつつ一体的に固定されるものであり、上記ガラス基板上に形成する配線を変更することで上記供給電圧の設定を変更することにある。
【００１０】
上記のように構成された本発明の液晶モジュールにおいて、ソース回路が電気的に接続されつつ一体的に固定されるガラス基板上の配線を変更してソース回路の供給電圧の設定を変更することにより、そのソース回路はカラーフィルタの配列に合わせて信号ラインに印可する駆動電圧を入れ替えることできることから、ソース回路へ入力するＲＧＢ信号からなる画像データを変更することなく異なる配列のカラーフィルタをそのまま使用することができる。また、ソース回路によって形成される配線が様々で元々ソース回路に合わせた設計が必要なガラス基板上の配線をするときに同時にカラーフィルタに合わせた供給電圧を設定する配線も行うことができる。
【００１１】
また、請求項２に記載の発明は、請求項１に記載の液晶モジュールにおいて、上記ソース回路は、配線用端子を有する基板上に構成されたものであり、上記配線用端子は、ハイおよびローのうち互いに異なる電圧を出力する２つの信号端子と、上記駆動電圧の入替えを設定する為の２つの設定端子とを少なくとも備え、上記信号端子と上記設定端子との接続の組合せを上記ガラス基板上に形成する配線によって変更することで上記供給電圧の設定を変更することにある。
【００１２】
上記のように構成された請求項１に記載の液晶モジュールにおいて、ハイおよびローのうち互いに異なる電圧を出力する２つの信号端子と駆動電圧の入替えを設定する為の２つの設定端子との接続の組合せをガラス基板上の配線によって変更することで供給電圧の設定を変更することができる。
【００１３】
また、請求項３に記載の発明は、請求項２に記載の液晶モジュールにおいて、上記ソース回路が構成された基板は、上記配線用端子が上記配線が形成されたガラス基板上にボンディングされることにある。
【００１４】
上記のように構成された請求項２に記載の液晶モジュールにおいて、ソース回路が構成された基板は配線が形成されたガラス基板上に配線用端子がボンディングされることによってガラス基板に電気的に接続されつつ一体的に固定される。
【００１５】
また、請求項４に記載の発明は、請求項２または３に記載の液晶モジュールにおいて、上記デルタ配列方式における上記カラーフィルタのＲＧＢ配列は、６パターンあり、上記設定端子を少なくとも３つ備えることで上記６パターンに対応することができることにある。
【００１６】
上記のように構成された請求項２または３に記載の液晶モジュールにおいて、設定端子を少なくとも３つ備えることによってハイおよびローのうち互いに異なる電圧を出力する２つの信号端子とで８つの配線の組合せが可能になり、デルタ配列方式の中で６パターンあるカラーフィルタのＲＧＢ配列に対応することができる。
【００１７】
また、請求項５に記載の発明は、請求項３または４に記載の液晶モジュールにおいて、上記ソース回路は、上記配線用端子を有するドライバＩＣであり、上記２つの信号端子は、直流３．３ボルトを出力する端子と接地される端子とであり、上記ドライバＩＣは、上記配線用端子が上記ガラス基板上にボンディングされて一体的に固定されることにある。
【００１８】
上記のように構成された請求項３または４に記載の液晶モジュールにおいて、ドライバＩＣで構成されるソース回路はその配線用端子がガラス基板上にボンディングされて一体的に固定されることにより、直流３．３ボルトを出力する端子と接地される端子との２つの信号端子がガラス基板上に形成された配線を介して駆動電圧の入替えを設定する為の２つの設定端子とそれぞれ接続される。
【発明の効果】
【００１９】
以上説明したように、請求項１に記載の発明によれば、ソース回路へ入力するＲＧＢ信号からなる画像データを変更することなく異なる配列のカラーフィルタをそのまま使用することができるので、液晶パネルにおいてデルタ配列方式の中で異なる配列のカラーフィルタを使用する場合でも入力信号を共通で使用することができる。よって、例えばその入力信号を供給する回路に共通のものが使用できて時間短縮を含めたコストダウンに有利となる。また、ソース回路に合わせたガラス基板上の通常の配線をするときに同時にカラーフィルタに合わせた供給電圧を設定する配線を行うことができるので、時間短縮を含めたコストダウンに一層有利となる。
【００２０】
また、請求項２に記載の発明によれば、２つの信号端子と２つの設定端子との接続の組合せをガラス基板上の配線によって変更することで供給電圧の設定を変更することができるので、ソース回路へ入力するＲＧＢ信号からなる画像データを変更することなく異なる配列のカラーフィルタをそのまま使用することが簡単にできる。
【００２１】
また、請求項３に記載の発明によれば、ソース回路が構成された基板はガラス基板上に配線用端子がボンディングされることによってガラス基板に電気的に接続されつつ一体的に固定されるので、ソース回路はカラーフィルタの配列に合わせて信号ラインに印可する駆動電圧を簡単に入れ替えることできる。
【００２２】
また、請求項４に記載の発明によれば、デルタ配列方式の中で６パターンあるカラーフィルタのＲＧＢ配列に対応することができるので、液晶パネルにおいてデルタ配列方式の中で異なる配列のいずれのカラーフィルタを使用する場合でも入力信号を共通で使用することができる。
【００２３】
また、請求項５に記載の発明によれば、ドライバＩＣがガラス基板上にボンディングされて一体的に固定されることにより２つの信号端子がガラス基板上に形成された配線を介して２つの設定端子とそれぞれ接続されるので、ソース回路に合わせたガラス基板上の通常の配線をするときに同時にカラーフィルタに合わせた供給電圧を設定する配線を行うだけで、液晶パネルにおいてデルタ配列方式の中で異なる配列のカラーフィルタを使用する場合でも入力信号を共通で使用することができる。
【発明を実施するための最良の形態】
【００２４】
以下、下記の項目に従って本発明の実施形態を図面を参照しつつ説明する。
（１）液晶モジュールを備える表示装置の概略構成
（２）液晶モジュールの構成
（３）デルタ配列方式の中でＲＧＢの配列が異なるカラーフィルタへの対応
（４）まとめ
【００２５】
（１）液晶モジュールを備える表示装置の概略構成
以下、図１を参照して本発明が適用される液晶モジュールを備える表示装置１０の概略構成を説明する。図１は、表示装置１０のブロック構成図である。図１において、表示装置１０は、映像回路１１と、液晶モジュール１２と、電源回路１３と、マイコン１４と、インバータ回路１５とを備えている。
【００２６】
電源回路１３は、外部の商用電源等から電源電圧（交流）の供給を受けるとともに、同供給された電源電圧を、マイコン１４を始めインバータ回路１５等の各回路へ供給する。電源回路１３は、必要に応じて各回路へ供給する電圧を交流から直流へと変換する。
【００２７】
マイコン１４は、表示装置１０を構成する各部と電気的に接続されており、マイコン１４内部の構成部品としてのＣＰＵ１４ａが、同じくマイコン１４内の構成部品であるＲＯＭ１４ｂやＲＡＭ１４ｃなどに書き込まれた各プログラムに従って、表示装置１０全体を制御する。
【００２８】
映像回路１１は、入力されたＲＧＢ（レッド、グリーン、ブルー）信号からなるデジタル画像データに対して液晶パネル１２ａのマトリクス状に配列された画素数（横縦比、ｍ：ｎ）に合わせたスケーリング処理を行い、液晶パネル１２ａに表示する１画面分の画像データを生成する。さらに、この画像データに対して、輝度補正、コントラスト調整、彩度補正等の各種処理を行った上で、処理後の画像データを液晶モジュール１２へ出力する。尚、上記ＲＧＢ信号からなるデジタル画像データは、任意の画像を表現する基となる映像信号から抽出された輝度信号と色差信号とに基づいてマトリクス変換処理が行われて生成された画像データであったり、マイコン等により生成された画像データ等である。また、上記映像信号は、例えば公知のアンテナによって受信されたテレビジョン放送信号から公知のチューナ回路によって抽出された映像信号や映像再生機器から出力された映像信号等である。
【００２９】
液晶モジュール１２は、液晶パネル１２ａと、パネル駆動回路１２ｂと、バックライト１２ｃとから構成される。液晶パネル１２ａは、例えばアクティブマトリクス駆動方式のパネルであり、デルタ配列方式にてＲＧＢの各色がマトリクス状に配列されたカラーフィルタ３０（図３参照）を有する画素２６（図２参照）から構成される。パネル駆動回路１２ｂは、映像回路１１から出力された画像データに基づいて制御されて液晶パネル１２ａを駆動することにより、液晶パネル１２ａに画像データに応じた画像を表示させる。バックライト１２ｃは、液晶パネル１２ａを背面側から照射する光源であり、例えば複数本の冷陰極管等を有する。
【００３０】
インバータ回路１５は、電源回路１３から供給された直流電圧を交流電圧に変換し、駆動信号としてのその交流電圧をバックライト１２ｃに供給し、バックライト１２ｃを点灯させる。
【００３１】
（２）液晶モジュールの構成
以下に液晶モジュール１２の構成を詳細に説明する。図２は、液晶モジュール１２のブロック構成図である。図２において、パネル駆動回路１２ｂは、ソース回路２０と、ゲート回路２１と、タイミングコントローラ２２と、内部電源回路２３とから構成される。
【００３２】
液晶パネル１２ａは、液晶物質が充填された複数の画素２６で構成されたパネルの背面にガラス基板３１（図３参照）が配置されている。このガラス基板３１上には、垂直方向に複数配列されそれぞれ水平方向に伸びる走査ラインＧ１〜ＧＮ（Ｎは、２以上の自然数）と、水平方向に複数配列されそれぞれ垂直方向に伸びる信号ラインＳ１〜ＳＭ（Ｍは、２以上の自然数）とが配置されている。また、走査ラインＧｎ２４（１≦ｎ≦Ｎ、ｎは自然数）と信号ラインＳｍ２５（１≦ｍ≦Ｍ、ｍは自然数）との交差点に対応して、液晶物質が充填された画素２６がマトリックス状に設けられている。
【００３３】
画素２６には電界効果トランジスター２７が含まれている。電界効果トランジスター２７のゲート電極２７ａは走査ラインＧｎ２４に接続され、電界効果トランジスター２７のソース電極２７ｂは信号ラインＳｍ２５に接続され、電界効果トランジスター２７のドレイン電極２７ｃはキャパシタで構成された画素電極２８と接続されている。さらに、画素電極２８は液晶パネル１２ａの各画素２６と接続されている。上記構造において電界効果トランジスター２７は信号ラインＳｍ２５に印加された駆動電圧を画素電極２８に印加するスイッチとしての役割を果たす。
【００３４】
画素電極２８が接続された液晶パネル１２ａの各画素２６は、対向電極２９と接続されており、画素電極２８に対向する対向電極２９との間の印加電圧に応じて各画素２６に充填された液晶物質の透過率が変化させられるようになっている。
【００３５】
ソース回路２０は、タイミングコントローラ２２から入力された画像データを基に駆動電圧を生成し信号ラインＳｍ２５にその駆動電圧を印加する。例えば、ソース回路２０は、複数のフリップフロップを有しており、これらフリップフロップからタイミングコントローラ２２で生成されたクロック信号と水平同期信号が入力される。このソース回路２０は、タイミングコントローラ２２が出力するクロック信号に同期して画像データを出力するためのイネーブル入出力信号を保持すると、順次クロック信号に同期して隣接するフリップフロップにイネーブル入出力信号を入力する。
【００３６】
また、ソース回路２０は、タイミングコントローラ２２から例えば１８ビット（６ビット（階調データ）×３（ＲＧＢ各色））単位で画像データが入力され、この画像データを、各フリップフロップで順次入力されたイネーブル入出力信号に同期してラッチする。さらに、ソース回路２０は、タイミングコントローラ２２から供給される水平同期信号に同期して、ラッチした一水平走査単位の画像データをラッチする。
【００３７】
また、ソース回路２０は、信号ラインＳｍ２５ごとに、ラッチされた画像データに基づいてアナログ化された駆動電圧を生成する。ソース回路２０が上記画像データを変換する方法として、内部電源回路２３により生成された階調電圧を用いてディジタル／アナログ変換を行う。そして、ソース回路２０は、生成した駆動電圧を信号ラインＳｍ２５に印加する。
【００３８】
ゲート回路２１は、タイミングコントローラ２２からの信号に基づいて駆動電圧を生成し、走査ラインＧｎ２４に駆動電圧を印加する。例えば、ゲート回路２１には、各走査ラインＧｎ２４に対応して設けられたフリップフロップにタイミングコントローラ２２からのクロック信号と垂直同期信号が順次入力される。このゲート回路２１は、内部電源回路２３から２種類の走査ライン駆動信号が入力され、クロック信号に同期して走査ライン駆動信号をフリップフロップに保持する。さらに、ゲート回路２１は垂直同期信号に同期して隣接するフリップフロップに走査ライン駆動信号をシフトする。
【００３９】
また、ゲート回路２１は、液晶パネル１２ａの液晶物質に応じた電圧レベルに走査ライン駆動信号をシフトする。そのシフトした２種類の走査ライン駆動信号に基づいてＣＭＯＳ駆動を行う。このとき、内部電源回路２３から入力される２種類の走査ライン駆動信号のうち、第一の走査ライン駆動信号がに入力されると、走査ライン駆動信号を走査ラインＧｎ２４に出力する。また、第二の走査ライン駆動信号が入力されると、走査ライン駆動信号の出力を止める。
【００４０】
タイミングコントローラ２２は、映像回路１１から供給されたＲＧＢ信号からなる画像データや、マイコン１４から供給されたソース回路２０及びゲート回路２１を制御するための制御信号等に従って、ソース回路２０、ゲート回路２１、及び内部電源回路２３を制御する。より具体的には、タイミングコントローラ２２は、ソース回路２０及びゲート回路２１に対して、例えば動作モードの設定や内部で生成した垂直同期信号や水平同期信号の供給を行う。
【００４１】
タイミングコントローラ２２は、画像データが供給された場合、この画像データをＲＡＭに保持する。また同様に制御信号が供給された場合、タイミングコントローラ２２はＲＡＭに制御信号を保持する。そして、ＲＯＭに設定された内容に従って、クロック信号を生成する。また、クロック信号により生成された表示タイミングによりＲＡＭに記憶された画像データから所定の形式の画像データを生成し、ソース回路２０に供給する。
【００４２】
内部電源回路２３は、電源回路１３から供給される電源電圧に基づいて、液晶パネル１２ａの液晶駆動に必要な電圧レベルや、上記したソース回路２０での駆動電圧に使用される階調電圧を生成するための階調電圧生成用電圧や、ゲート回路２１における走査ラインＧｎ２４のオンオフ制御に使用される２種類の走査ライン駆動信号を生成する。
【００４３】
上記構造により構成された液晶モジュール１２において各画素２６に駆動電圧が印加されることにより液晶パネル１２ａに画像を表示する。タイミングコントローラ２２に一画面単位の画像データが入力されると、タイミングコントローラ２２はクロック信号と水平同期信号と垂直同期信号とを生成する。次に、タイミングコントローラ２２は、画像データとクロック信号と水平同期信号をソース回路２０に、クロック信号と垂直同期信号とをゲート回路２１に出力する。
【００４４】
ソース回路２０は、内部電源回路２３から階調電圧を受け取り、上記階調電圧と上記画像データからアナログの駆動電圧を生成し、信号ラインＳｍ２５のＳ１〜ＳＭに水平同期信号に同期して順次印加する。次に、ゲート回路２１は、内部電源回路２３から２種類の走査ライン駆動信号を受け取り、走査ライン駆動信号を走査ラインＧｎ２４に印加する。
【００４５】
液晶パネル１２ａの各画素２６に対応する電界効果トランジスター２７は、走査ラインＧｎ２４と接続されたゲート電極２７ａに２種類の走査ライン駆動信号を印加することにより、信号ラインＳｍ２５に接続されたソース電極２７ｂは駆動電圧をドレイン電極２７ｃに印加する。
【００４６】
走査ラインＧｎ２４と信号ラインＳｍ２５によって特定される画素を画素（Ｇｎ、Ｓｍ）とする。今ゲート回路２１が、内部電源回路２３からの第一の走査ライン駆動信号を受けて走査ラインＧ１に走査ライン駆動電圧を印加したとする。走査ラインＧ１と接続した電界効果トランジスター２７は、各ゲート電極２７ａに第一の走査ライン駆動信号が印加されたことにより、すでに印加された駆動電圧をソース電極２７ｂからドレイン電極２７ｃへと印加する。これによりタイミング信号が印加された走査ラインＧ１と接続した、Ｓ１からＳＭまでの信号ラインＳｍ２５と接続した電界効果トランジスター２７は駆動電圧を画素（Ｇ１、Ｓ１〜ＳＭ）までの画素電極２８に印加する。このとき、内部電源回路２３はすぐに第二の走査ライン駆動信号を出力し、これを受けて、ゲート回路２１は走査ライン駆動電圧の出力を止める。
【００４７】
次に、ゲート回路２１は走査線Ｇ２に走査ライン駆動電圧を印加し、画素２６（Ｇ２、Ｓ１〜Ｍ）に駆動電圧が印加される。さらにゲート回路２１は内部電源回路２３から出力される垂直同期信号と同期して走査ラインＧ３〜ＧＮまで順次画素を印加していき、液晶パネル１２ａの各画素全体を印加する。
【００４８】
このとき液晶パネル１２ａは上記駆動電圧を各画素２６に充填された液晶物質に印加することで、光の透過を変化させ映像を表示するが、画素２６に印加する駆動電圧の電圧値を決定するためにはコモン電圧を外部から入力させる必要がある。そこで、内部電源回路２３は、コモン電圧として３．３ボルト直流電圧を生成する。内部電源回路２３はソース回路２０が上記した方法で駆動電圧を生成する際アナログ電位を決定する閾値として使用される階調電圧生成用電圧を生成するものであり、電圧の変動値が少ない電圧を生成可能であることは周知の技術である。
【００４９】
上記構成からなる液晶モジュール１２は、液晶パネル１２ａの各画素２６に電界効果トランジスター２７のドレイン電極２７ｃに接続される画素電極２８と内部電源回路２３から対向電極２９に印加されたコモン電圧との電圧に応じた電荷が充電される。したがって、各画素２６に蓄積された電荷によって保持された画素電極電圧が、所定の閾値を越えると画像表示が可能となる。画素電極電圧が所定の閾値を越えると、その電圧レベルに応じて画素の透過率が変化し、階調表現が可能となる。つまり、上記構成により、映像回路１１から出力された画像データはパネル駆動回路１２ｂにより所定の電圧値を有するアナログ信号に変換された後、液晶パネル１２ａのマトリクス状に配列させられた各画素に印加され、画素に充填される液晶物質の分子配列を変化させてＲＧＢ信号からなる画像データに基づいて表示装置１０は液晶モジュール１２に画像を表示する。
【００５０】
（３）デルタ配列方式の中でＲＧＢの配列が異なるカラーフィルタへの対応
以下、図３、４を参照してデルタ配列方式の中でＲＧＢの配列が異なるカラーフィルタへの対応を詳細に説明する。図３は、表示装置１０内の各回路が実装された様子を表す概略図である。また、図４は、ソース回路２０の概略図と配線３３が形成されたガラス基板３１上にソース回路２０が実装される様子を表す概略図である。
【００５１】
図３において、映像回路１１と、電源回路１３と、マイコン１４と、インバータ回路１５とが実装される１枚乃至複数の基板は、フラットケーブルやコネクタを介して液晶モジュール１２と接続されている。また、液晶モジュール１２側では、ソース回路２０やゲート回路２１等がカラーフィルタ３０を有した液晶パネル１２ａを構成するガラス基板３１上に実装されている。
【００５２】
ここで、ソース回路２０は、供給電圧の設定を変更することによりカラーフィルタ３０の配列に合わせて信号ラインＳｍ２５に印可する駆動電圧を入れ替えることが可能な例えばドライバＩＣ２０である。ドライバＩＣ２０は、図４に示すように配線用端子３２を有するワンチップＩＣであり、この配線用端子３２がガラス基板３１上にボンディングされることによりガラス基板３１に電気的に接続されつつ一体的に固定される。
【００５３】
ドライバＩＣ２０は、配線用端子３２として、ハイおよびローのうち互いに異なる電圧を出力する２つの信号端子と、信号ラインＳｍ２５に印可する駆動電圧の入替えを設定する為の２つの設定端子とを備えている。例えば、２つの信号端子は、ハイ電圧として３．３ボルト直流電圧を出力する信号端子Ｖｃｃと、ロー電圧として接地される信号端子ＧＮＤとである。また、２つの設定端子は、設定端子ＣＦＣ０と設定端子ＣＦＣ１との２つの端子である。
【００５４】
そして、ガラス基板３１上に信号端子Ｖｃｃ、ＧＮＤと設定端子ＣＦＣ０、ＣＦＣ１とを接続する配線３３を形成し、それらの接続の組合せをガラス基板３１上に形成する配線３３によって変更することによってソース回路２０への供給電圧の設定を変更する。通常ドライバＩＣ２０によってガラス基板３１上の配線は様々であり元々ドライバＩＣ２０に合わせた設計が必要であることから、その序でにこの配線３３を設計し、ガラス基板３１上の通常の配線を形成するときに同時にこの配線３３を形成するのである。
【００５５】
図５は、比較的よく用いられる配列の異なった複数のカラーフィルタ３０を示した図であると共に、映像回路１１からパネル駆動回路１２ｂへ入力されるＲＧＢ信号からなる画像データ（以下、入力データという）が、奇数ライン（Odd line）：ＲＧＢ、偶数ライン（Even line）：ＧＢＲの配列としたときに、これら異なるカラーフィルタ３０の配列に対応させる一例を示した図である。
【００５６】
図５において、ドライバＩＣ２０は、設定端子ＣＦＣ０、ＣＦＣ１を共に０に設定することにより、入力データに対して信号ラインＳｍ２５に印可する駆動電圧を入れ替えるとなく出力する構成とされている。また、ドライバＩＣ２０は、設定端子ＣＦＣ０を１、設定端子ＣＦＣ１を０に設定することにより、奇数ライン：ＲＧＢ、偶数ライン：ＧＢＲの入力データに対して奇数ライン：ＧＢＲ、偶数ライン：ＲＧＢの配列となるように信号ラインＳｍ２５に印可する駆動電圧を入れ替えて出力する構成とされている。また、ドライバＩＣ２０は、設定端子ＣＦＣ０、ＣＦＣ１を共に１に設定することにより、奇数ライン：ＲＧＢ、偶数ライン：ＧＢＲの入力データに対して奇数ライン：ＢＲＧ、偶数ライン：ＲＧＢの配列となるように信号ラインＳｍ２５に印可する駆動電圧を入れ替えて出力する構成とされている。
【００５７】
そして、カラーフィルタ３０が奇数ライン：ＲＧＢ、偶数ライン：ＧＢＲの配列であるときには、設定端子ＣＦＣ０、ＣＦＣ１を共に信号端子ＧＮＤに接続するようにガラス基板３１上に配線３３を形成して設定端子ＣＦＣ０、ＣＦＣ１を共に０に設定し、入力データに対して駆動電圧を入れ替えることなくドライバＩＣ２０に出力させる。或いは、カラーフィルタ３０が奇数ライン：ＧＢＲ、偶数ライン：ＲＧＢの配列であるときには、設定端子ＣＦＣ０を信号端子Ｖｃｃ、設定端子ＣＦＣ１を信号端子ＧＮＤにそれぞれ接続するようにガラス基板３１上に配線３３を形成して設定端子ＣＦＣ０を１、設定端子ＣＦＣ１を０に設定し、入力データに対してカラーフィルタ３０の配列となるように駆動電圧を入れ替えてドライバＩＣ２０に出力させる。或いは、カラーフィルタ３０が奇数ライン：ＢＲＧ、偶数ライン：ＲＧＢの配列であるときには、設定端子ＣＦＣ０、ＣＦＣ１を共に信号端子Ｖｃｃに接続するようにガラス基板３１上に配線３３を形成して設定端子ＣＦＣ０、ＣＦＣ１を共に１に設定し、入力データに対してカラーフィルタ３０の配列となるように駆動電圧を入れ替えてドライバＩＣ２０に出力させる。
【００５８】
尚、上述のようにドライバＩＣ２０が、２つの信号端子Ｖｃｃ、ＧＮＤと２つの設定端子ＣＦＣ０、ＣＦＣ１とを備える場合には、設定端子ＣＦＣ０を信号端子ＧＮＤ、設定端子ＣＦＣ１を信号端子Ｖｃｃにそれぞれ接続するようにガラス基板３１上に配線３３を形成して設定端子ＣＦＣ０を０、設定端子ＣＦＣ１を１に設定することを加えることで、同じ入力データに対して配列の異なった４つのパターンのカラーフィルタ３０に対応させることが可能である。
【００５９】
また、ドライバＩＣ２０が、設定端子ＣＦＣ２を更に備えることで、２つの信号端子Ｖｃｃ、ＧＮＤと３つの設定端子ＣＦＣ０、ＣＦＣ１、ＣＦＣ２とを備える場合には、２つの信号端子と３つの設定端子とそれぞれの接続の組み合わせにより３つの設定端子ＣＦＣ０、ＣＦＣ１、ＣＦＣ２の０／１を設定することで、同じ入力データに対して配列の異なった８つのパターンのカラーフィルタ３０に対応させることが可能である。従って、ドライバＩＣ２０が少なくとの２つの信号端子と３つの設定端子とを備えることで、図６に示したデルタ配列方式における６つのパターンのカラーフィルタ３０全てに対応させることが可能である。
【００６０】
（４）まとめ
上述のように、本実施例によれば、ソース回路２０へ入力するＲＧＢ信号からなる画像データを変更することなく異なる配列のカラーフィルタ３０をそのまま使用することができるので、液晶パネル１２ａにおいてデルタ配列方式の中で異なる配列のカラーフィルタ３０を使用する場合でも映像回路１１からの入力信号（入力データ）を共通で使用することができる。よって、例えばその入力データを供給する映像回路１１等やその映像回路１１等を搭載する回路基板に共通のものが使用できて設計や開発等の時間短縮を含めたコストダウンに有利となる。また、ソース回路２０に合わせたガラス基板３１上の通常の配線をするときに同時にカラーフィルタ３０に合わせたソース回路２０への供給電圧を設定する配線３３を行うことができるので、時間短縮を含めたコストダウンに一層有利となる。
【００６１】
また、本実施例によれば、２つの信号端子Ｖｃｃ、ＧＮＤと２つの設定端子ＣＦＣ０、ＣＦＣ１との接続の組合せをガラス基板３１上の配線３３によって変更することでソース回路２０への供給電圧の設定を変更することができるので、ソース回路２０へ入力するＲＧＢ信号からなる画像データ（映像回路１１からの入力データ）を変更することなく異なる配列のカラーフィルタ３０をそのまま使用することが簡単にできる。
【００６２】
また、本実施例によれば、ソース回路２０が構成された基板はガラス基板３１上に配線用端子３２がボンディングされることによってガラス基板３１に電気的に接続されつつ一体的に固定されるので、ソース回路２０はカラーフィルタ３０の配列に合わせて信号ラインＳｍ２５に印可する駆動電圧を簡単に入れ替えることできる。
【００６３】
また、本実施例によれば、ドライバＩＣ２０が少なくとの２つの信号端子と３つの設定端子とを備えることで、デルタ配列方式の中で６パターンあるカラーフィルタ３０のＲＧＢ配列に対応することができるので、液晶パネル１２ａにおいてデルタ配列方式の中で異なる配列のいずれのカラーフィルタ３０を使用する場合でも映像回路１１からの入力データを共通で使用することができる。
【００６４】
また、本実施例によれば、ドライバＩＣ２０がガラス基板３１上にボンディングされて一体的に固定されることにより２つの信号端子Ｖｃｃ、ＧＮＤがガラス基板３１上に形成された配線３３を介して２つの設定端子ＣＦＣ０、ＣＦＣ１とそれぞれ接続されるので、ドライバＩＣ２０に合わせたガラス基板３１上の通常の配線を設計・形成するときに同時にカラーフィルタ３０に合わせたドライバＩＣ２０への供給電圧を設定する配線３３を設計・形成するだけで、液晶パネル１２ａにおいてデルタ配列方式の中で異なる配列のカラーフィルタ３０を使用する場合でも映像回路１１からの入力データを共通で使用することができる。
【００６５】
以上、本発明の実施例を図面に基づいて詳細に説明したが、上述したのはあくまでも一実施形態であり、本発明は当業者の知識に基づいて種々の変更、改良を加えた態様で実施することができる。
【図面の簡単な説明】
【００６６】
【図１】本発明が適用される液晶モジュールを備える表示装置のブロック構成図である。
【図２】液晶モジュールのブロック構成図である。
【図３】表示装置内の各回路が実装された様子を表す概略図である。
【図４】ソース回路の概略図と配線が形成されたガラス基板上にソース回路が実装される様子を表す概略図である。
【図５】比較的よく用いられる配列の異なった複数のカラーフィルタを示した図であると共に、映像回路からの入力データが奇数ライン：ＲＧＢ、偶数ライン：ＧＢＲの配列としたときに異なるカラーフィルタの配列に対応させる一例を示した図である。
【図６】デルタ配列方式においてＲＧＢの配列が異なる６つのパターンを示す図である。
【符号の説明】
【００６７】
１２：液晶モジュール
１２ａ：液晶パネル
２０：ソース回路、ドライバＩＣ
２１：ゲート回路
２４：走査ラインＧｎ
２５：信号ラインＳｍ
２６：画素
３０：カラーフィルタ
３１：ガラス基板
３２：配線用端子
３３：配線
Ｖｃｃ、ＧＮＤ：信号端子
ＣＦＣ０、ＣＦＣ１、ＣＦＣ２：設定端子 
【図１】
2008292654.tif 000003
【図２】
2008292654.tif 000004
【図３】
2008292654.tif 000005
【図４】
2008292654.tif 000006
【図５】
2008292654.tif 000007
【図６】
2008292654.tif 000008